(57)【要約】【課題】  排水溝の水はけを良くし、排水溝に滞溜する雨水等を効率的に排水すること、排水溝の美観を向上せしめ、入居者の客付けに悪い影響を与えないようにすること。【解決手段】  長手方向に設けられる長尺に形成された集水路３と、該集水路３の両側に該集水路３に向かって下方に傾斜して設けられる長手方向に連続する長尺に形成された一対の傾斜部５とからなり、上記傾斜部５は長手方向に直交する垂直方向の断面形状が上記集水路３の中心線に対し線対称に形成される。傾斜部５を通って集水路３に流れ込む雨水等は、面状に拡散されず、直線状に幅細に形成された集水路３に集中する。このため、集水路３に残る雨水等は、従来のように幅広の排水溝１３に残る場合よりも水量が増加するので水圧が増し、これにより水の流れが良好となるので、集水路３の乾燥が迅速となり、排水溝１３や集水路３に汚れがつき難く、またコケ等の発生を抑制することができる。【選択図】  図３
2018048465.tif 000002
【特許請求の範囲】
【請求項１】
排水溝に設置される装置であって、
長手方向に設けられる長尺に形成された集水路と、該集水路の両側に該集水路に向かって下方に傾斜して設けられる長手方向に連続する長尺に形成された一対の傾斜部とからなり、
上記傾斜部は長手方向に直交する垂直方向の断面形状が上記集水路の中心線に対し線対称に形成されることを特徴とする排水装置。
【請求項２】
請求項１記載の排水装置において、上記集水路が長手方向中央部に水平状態にて設けられることを特徴とする排水装置。
【請求項３】
請求項１又は請求項２記載の排水装置において、上記傾斜部が互いに同一の形状及び同一の勾配に形成されることを特徴とする排水装置。
【請求項４】
請求項１乃至請求項３のいずれか一記載の排水装置において、上記傾斜部の外側端両側に垂直端部が設けられ、該垂直端部は上部及び下部が垂直方向に延伸され、下部垂直端部が上記排水溝の底面に立設され、上部垂直端部が上記排水溝を設けた外部廊下と面一の高さまで延伸されることを特徴とする排水装置。
【請求項５】
請求項１乃至請求項３のいずれか一記載の排水装置において、上記傾斜部の外側端両側に垂直アームが設けられ、該垂直アームの上端部が夫々水平方向外側に延伸されて外部廊下に取り付けられることを特徴とする排水装置。
【請求項６】
請求項１乃至請求項４のいずれか一記載の排水装置において、上記集水路が断面方形に形成されることを特徴とする排水装置。
【請求項７】
請求項１乃至請求項４のいずれか一記載の排水装置において、上記集水路が断面半円形に形成されることを特徴とする排水装置。
【請求項８】
請求項１、請求項２、請求項３又は請求項５記載の排水装置において、上記集水路が直線状に形成されることを特徴とする排水装置。
【請求項９】
請求項１乃至請求項８のいずれか一記載の排水装置において、長手方向の一端部が閉塞されることを特徴とする排水装置。
【請求項１０】
請求項１乃至請求項８のいずれか一記載の排水装置において、長手方向の両端部が開放されることを特徴とする排水装置。
【請求項１１】
請求項１乃至請求項１０のいずれか一記載の排水装置において、装置全体の上面に開閉自在の蓋部が設けられることを特徴とする排水装置。
【請求項１２】
請求項１乃至請求項１０のいずれか一記載の排水装置において、装置全体の上面が開放されることを特徴とする排水装置。
【請求項１３】
請求項１乃至請求項１２のいずれか一記載の排水装置において、上記傾斜部の勾配が約８ｍｍであることを特徴とする排水装置。
【発明の詳細な説明】
【技術分野】
【０００１】
本願発明はマンション、アパート等の外部廊下に設けられる排水溝の改良に関し、とくに排水溝に流入した雨水等を効率的に排水する排水装置に関する。
【背景技術】
【０００２】
マンション、アパート等の外部廊下は、主としてコスト上の理由から現場施工でなく予め工場で製造された製品を用いて施されることが多い。
【０００３】
かかる製品はブロック状に形成され、連結されることにより廊下を形成するのであるが、雨水等を排出するための排水溝が、排水量を確保するため予め定められた溝幅と溝深さに形成されている。
【０００４】
また、かかる排水溝は、歩行に支障がないように水平に形成される外部廊下に設けられることから、排水溝自体もまた水平に形成されることが多い。
【０００５】
このため、排水溝に流入した雨水等は完全に排水されないことが多く、排水溝に長期間滞溜し、これがため、排水溝に入り込む砂埃等により排水溝に汚れが生ずるだけでなく、排水溝にコケ等が発生することがあった。
【０００６】
こうした汚れやコケ等は外部廊下の端部に集中することが多い。また排水溝が交差する分岐点がある場合、汚れやコケ等が目立つのであるが、この分岐点のところは人の眼に触れる機会が多い。
【０００７】
こうなると、衛生上問題があるだけでなく、美観が悪くなるので、入居者の客付けにも影響することが多い。
【先行技術文献】
【特許文献】
【０００８】
【特許文献１】特許第３８４１６６２号公報
【０００９】
【特許文献２】特許第３６６７９７２号公報
【発明の概要】
【発明が解決しようとする課題】
【００１０】
本願発明は、上記背景に鑑み、排水溝の水はけを良くし、排水溝に滞溜する雨水等を効率的に排水することを目的とする。
【００１１】
また本願発明の他の目的は、上記排水溝の美観を向上せしめ、入居者の客付けに悪い影響を与えないようにすることである。
【課題を解決するための手段】
【００１２】
上記目的達成のため、本願発明による排水装置は、排水溝に設置される装置であって、長手方向に設けられる長尺に形成された集水路と、該集水路の両側に該集水路に向かって下方に傾斜して設けられる長手方向に連続する長尺に形成された一対の傾斜部とからなり、上記傾斜部は長手方向に直交する垂直方向の断面形状が上記集水路の中心線に対し線対称に形成されることを特徴とする。
また、請求項１記載の排水装置において、上記集水路が長手方向中央部に水平状態にて設けられることを特徴とする。
また、請求項１又は請求項２記載の排水装置において、上記傾斜部が互いに同一の形状及び同一の勾配に形成されることを特徴とする。
また、請求項１乃至請求項３のいずれか一記載の排水装置において、上記傾斜部の外側端両側に垂直端部が設けられ、該垂直端部は上部及び下部が垂直方向に延伸され、下部垂直端部が上記排水溝の底面に立設され、上部垂直端部が上記排水溝を設けた外部廊下と面一の高さまで延伸されることを特徴とする。
また、請求項１乃至請求項３のいずれか一記載の排水装置において、上記傾斜部の外側端両側に垂直アームが設けられ、該垂直アームの上端部が夫々水平方向外側に延伸されて外部廊下に取り付けられることを特徴とする。
また、請求項１乃至請求項４のいずれか一記載の排水装置において、上記集水路が断面方形に形成されることを特徴とする。
また、請求項１乃至請求項４のいずれか一記載の排水装置において、上記集水路が断面半円形に形成されることを特徴とする。
また、請求項１、請求項２、請求項３又は請求項５記載の排水装置において、上記集水路が直線状に形成されることを特徴とする。
また、請求項１乃至請求項８のいずれか一記載の排水装置において、長手方向の一端部が閉塞されることを特徴とする。
また、請求項１乃至請求項８のいずれか一記載の排水装置において、長手方向の両端部が開放されることを特徴とする。
また、請求項１乃至請求項１０のいずれか一記載の排水装置において、装置全体の上面に開閉自在の蓋部が設けられることを特徴とする。
また、請求項１乃至請求項１０のいずれか一記載の排水装置において、装置全体の上面が開放されることを特徴とする。
また、請求項１乃至請求項１２のいずれか一記載の排水装置において、上記傾斜部の勾配が約８ｍｍであることを特徴とする。
【発明の効果】
【００１３】
外部廊下から排水溝に流入してくる雨水等は、直接集水路に入ってくるものもあるが、概ね傾斜部を通って集水路に流れ込む。この場合、傾斜部を通って集水路に流れ込む雨水等は、面状に拡散されず、直線状に幅細に形成された集水路に集中する。
【００１４】
このため、集水路に残る雨水等は、従来のように幅広の排水溝に残る場合よりも水量が増加するので水圧が増し、これにより水の流れが良好となる。
【００１５】
この結果、効率的な排水が可能となるので、集水路の乾燥が迅速となり、排水溝や集水路に汚れがつき難く、またコケ等の発生を抑制することができる。
【００１６】
よって排水溝の美観を向上することができ、入居者の客付けに悪影響を与えないようにすることができる。
【図面の簡単な説明】
【００１７】
【図１】本願発明による排水装置の一実施の形態を示す正面図である。
【図２】図１の縮小された平面図である。
【図３】図１を排水溝に組み込んだ状態の正面図である。
【図４】図３の平面図である。
【図５】本願発明による排水装置の他の実施の形態を示す正面図である。
【図６】図５要部の平面図である。
【発明を実施するための形態】
【００１８】
図１乃至図４は本願発明による排水装置の第一の実施の形態を示す。なお、便宜上同一の機能を奏する部分には同一の符号を付してその説明を省略する。
【００１９】
１１は図示を省略するアパートやマンション等の外部廊下である。該外部廊下１１は、メースと呼ばれる押出成形されたセメント板からなり、ブロック状のものが長手方向に多数連結されてなり、一端部に排水溝１３が一体的に凹設される。上記排水溝１３は、外部廊下１１が歩行に支障がないように水平に形成されるため、長手方向に水平状態に設けられる。
【００２０】
１は排水装置であり、押出成形されたアルミニウム材からなり、長手方向に所定長の長さに形成される。該排水装置１は長手方向に多数連結されて長尺に形成され、上記排水溝１３に設置される。上記排水装置１は長手方向に長尺に形成された集水路３と、長手方向に長尺に形成された一対の傾斜部５とからなる。該一対の傾斜部５は、上記集水路３の両側に、集水路３に向かって下方に傾斜して設けられ、長手方向に連続する。上記一対の傾斜部５は、長手方向に直交する垂直方向の断面形状が上記集水路３の中心線に対し線対称に形成される。即ち、一対の傾斜部５は、左右の傾斜片部５ａ、５ｂが同一の形状及び同一の勾配に形成される。
【００２１】
上記集水路３は、長手方向中央部に水平状態に設けられる。上記集水路３の断面形状は方形に形成される。
【００２２】
６は上記排水溝１３の底面に立設される一対の脚部である。該脚部６は、上記傾斜部５の各傾斜片部５ａ、５ｂの外側端から垂直方向に伸長され、下端部６ａが上記排水溝１３の底面まで延伸され下端が内側に屈曲されてなる。また上端部６ｂは、上記排水溝１３の上部まで延伸され、上端に、外側に突出された連結部６ｃが排水装置１の連結のために横設される連結棒２３に固定される。該連結部６ｃは外部廊下１１と面一に設置される。また該連結部６ｃには図示しない蓋部が着脱自在に載置される。７ａ、７ｂは上記した一対の脚部６に設けられ、連結棒２４に固定される補強用のリブ、８は上記した一対の傾斜部５に設けられる固着用のリブであり、排水装置１の連結のために横設される連結棒２５に固定される。
【００２３】
図中１５は上記外部廊下１１の側端部である。また１７は排水溝１３に接続して設けてある集水析（図示省略）に連通する排水目皿である。
【００２４】
本実施例における各部の寸法は次の通りである。排水装置１全体の外幅Ｗ1は８７ｍｍ、同内幅Ｗ2は７２ｍｍ、連結部６ｃ間の内幅Ｗ3は６６ｍｍであり、排水装置１全体の外高Ｈ1は２９．５ｍｍ、同内高Ｈ2は２５．５ｍｍである。集水路３の内幅ｗは１０ｍｍ、集水路３の深さｈは７ｍｍである。傾斜部５の各傾斜片部５ａ、５ｂの幅は３２ｍｍ、勾配は８ｍｍである。かかる排水装置１が設置される排水溝１３は、上面の幅９０ｍｍ、底部の幅８４ｍｍ、深さ３０ｍｍに形成されている。上記外部廊下１１は、上記排水溝１３が凹設された４９５ｍｍ幅のメースと、上記排水溝１３が凹設されていないメースが幅方向に連結され、全体として１３１２．５ｍｍ（廊下有効幅１０１２．５ｍｍ）に形成される。
【００２５】
外部廊下１１から排水溝１３に流入してくる雨水等ａは、直接集水路３に入ってくるものもあるが、概ね傾斜部５を通って集水路３に流れ込む。この場合、傾斜部５を通って集水路３に流れ込む雨水等ａは、面状に拡散されず、直線状に幅細に形成された集水路３に集中する。
【００２６】
このため、集水路３に残る雨水等ａは、従来のように排水溝１３に残る場合よりも水量が増加するので水圧が増し、これにより水の流れが良好となる。
【００２７】
出願人の行った実験によると、本排水装置１を設置した場合（実施例１）と、設置しない場合（対比例）とでは、流水の出発点から各計測点までの流水の到達時間に表１の差がある。ここで第１計測点は流水の出発点から１３００ｍｍまでの点、第２計測点は同２６００ｍｍまでの点、第３計測点は同４０００ｍｍまでの点である。
【００２８】
【表１】
2018048465.tif 000003
【００２９】
表１からも明らかなように、本排水装置１によれば、効率的な排水が可能となるので、集水路３の乾燥が迅速となり、排水溝１３や集水路３に汚れがつき難く、またコケ等の発生を防止することができる。
【００３０】
よって排水溝１３の美観を向上することができ、入居者の客付けに悪影響を与えないようにすることができる。
【００３１】
本実施の形態においては、上記した一対の傾斜部５が、上記集水路３の両側に上記集水路３に向かって下方に傾斜して設けられ、集水路３の中心線に対し線対称に形成されるから、予め決定された集水路３の高さに対し勾配を最大限にとることができる。よって集水路３に流れ込む雨水等ａの勢いが最大限に増加されるので、長手方向の水圧が増加し、これにより水の流れが良好となる。
なお、集水路３を長手方向中央部に設けず、一対の傾斜部５が集水路３の中心線に対し線対称に形成されない場合は、勾配の緩い傾斜片部が形成されるため、その部分の水圧が下がり、全体としての集水効率が低下する。
【００３２】
また、排水装置１の断面形状は左右対称であるから、取付方向を選ばないので、取付け手間の迅速化を図ることができる。
【００３３】
本実施の形態による排水装置１は排水溝１３に嵌着すれば設置完了であるため、新設の建築物だけでなく、既存のマンションやアパート等の外部廊下１１の排水溝１３にも簡単に設置することができる。よって、既存のマンションやアパート等の排水溝１３の水はけを良好とすることが可能であり、これら既存物の排水溝１３の美観を向上せしめるから、これらの入居者の客付け向上効果も奏することができる。
【００３４】
また装置上面に蓋部（図示省略）を冠着すれば、砂埃や木葉等の落下物の侵入を回避できるので、雨水等ａ排出の阻害が一層防止され、排水溝１３の美観向上に一層有利である。
【００３５】
また本実施の形態による排水装置１は、図４のように、長手方向一端部が面板からなるエンドキャップ１９により閉塞された状態でも、長手方向両端部が開放された状態でも（図示省略）、いずれの場合での使用も可である。通常は前者の状態での使用であるが、使用態様を問わないので、新設物だけでなく、既存物への設置に有利である。
【００３６】
また上記集水路３が長手方向中央部に水平状態にて設けられるから、雨水等ａの流れをいずれの方向にも誘導することができ、傾斜部５の均等性と相まって、取付方向を選ばず、設置作業の迅速化を図ることができる。
【００３７】
さらに、集水路３は長手方向中央部に形成されているから、排水溝が交差して接続する分岐部であっても集水路３が連通されるので、排水の断絶がなく、迅速な排水をすることができる。
【００３８】
図５及び図６は、集水路４が線状に形成された他の実施の形態を示す。この場合、排水装置１は折曲げ成形された鋼板からなり、長手方向に長尺に形成された集水路４が直線状に形成され、該集水路４の両側に、集水路４に向かって下方に傾斜する、長手方向に長尺に形成された一対の傾斜部５が設けられる。該一対の傾斜部５は、長手方向に直交する垂直方向の断面形状が上記集水路４の線に対し線対称に形成される。即ち、一対の傾斜部５は、左右の傾斜片部５ａ、５ｂが同一の形状及び同一の勾配に形成される。上記集水路４は、歩行に支障がないように水平に形成された外部廊下１１に設置されるため、長手方向中央部に水平状態に設けられる。９ａ、１０ａは上記傾斜部５の各傾斜片部５ａ、５ｂの外端に延伸される垂直アームである。各垂直アーム９ａ、１０ａの上端は、夫々、水平方向外側に延伸され、取付部９ｂ、１０ｂとなっている。これら取付部９ｂ、１０ｂにて、外部廊下１１を構成する上記したメースに、夫々、取付具２１、２２を介して取付けられる。
【００３９】
出願人の行った実験によると、本排水装置１を設置した場合（実施例２）と、底面がフラットな集水路（図示省略）の場合（対比例）とでは、流水の出発点から各計測点までの流水の到達時間に表２の差がある。ここで第１計測点は流水の出発点から１２５０ｍｍまでの点、第２計測点は同２５５０ｍｍまでの点、第３計測点は同３９５０ｍｍまでの点である。
【００４０】
【表２】
2018048465.tif 000004
【００４１】
表２からも明らかなように、この実施の形態においても、一対の傾斜部５は長手方向に直交する垂直方向の断面形状が直線状集水路４の線に対し線対称に形成されるから、上記した第一の実施の形態と同様の効果を奏することができる。
【００４２】
本願発明は上記した実施の形態に限定されることはない。例えば、集水路３の断面形状は、半円形に形成することができる。この場合、隅入の角度が無くなるので、ゴミが溜りにくくなり、汚れ防止を一層図ることができる。
【００４３】
排水装置１各部の素材は任意である。また、排水装置１各部の寸法は上記実施例寸法に制限されない。傾斜部５の勾配も集水路３、４の幅及び深さに対応させることができる。
【産業上の利用可能性】
【００４４】
本願発明による排水装置１は、例えば、アパート、マンション等の外部廊下の排水溝の水はけ促進に活用することができる。
【符号の説明】
【００４５】
１      排水装置
３      集水路
４      集水路（直線状集水路）
５      傾斜部
５ａ    傾斜片部
５ｂ    傾斜片部
６      脚部
６ａ    下端部
６ｂ    上端部
６ｃ    連結部
７ａ    リブ
７ｂ    リブ
８      リブ
９ａ    垂直アーム
９ｂ    取付部
１０ａ  垂直アーム
１０ｂ  取付部
１１    外部廊下
１３    排水溝
１５    側端部
１７    排水目皿
１９    エンドキャップ
２１    取付具
２２    取付具
２３    連結棒
２４    連結棒
２５    連結棒
【図１】
2018048465.tif 000005
【図２】
2018048465.tif 000006
【図３】
2018048465.tif 000007
【図４】
2018048465.tif 000008
【図５】
2018048465.tif 000009
【図６】
2018048465.tif 000010